(57)【要約】      （修正有）【課題】常態下で同一極性が互いに排斥し、磁力により透磁性を有するワークを吸着し、磁気吸引方式の工具に応用し、消磁機能を兼ね備えた工具用消磁の磁着装置を提供する。【解決手段】１つの筐体１０と、１つの中心孔１２と、互いに同じ数の流路１５及び組立室１６と、２つ以上のピストン筒２０と、２つ以上の磁体３０とを備える。中心孔１２は、１本の中心線１１に沿って筐体１０の中央部に貫通するように形成される。流路及び組立室は、筐体に設けられる。流路は、垂直中心線の１本の軸線１３に沿って中心孔の周囲に接続される。組立室は、一端が流路に接続され、他端が筐体の外側と連通する。ピストン筒は、筐体の流路にそれぞれ挿入される。ピストン筒は、筐体の外側を向く一端に閉鎖端２１が設けられ、中心孔を向く他端に１つの開口が形成される。磁体は、開口２２を介しピストン筒に挿入される。【選択図】図１
0003235644.tif 000002
【実用新案登録請求の範囲】
【請求項１】
１つの筐体と、１つの中心孔と、互いに同じ数の流路及び組立室と、２つ以上のピストン筒と、２つ以上の磁体とを備えた、工具用消磁の磁着装置であって、
前記中心孔は、１本の中心線に沿って前記筐体の中央部に貫通するように形成され、
前記流路及び前記組立室は、前記筐体に設けられ、前記流路は、垂直中心線の１本の軸線に沿って前記中心孔の周囲に接続され、前記組立室は、一端が前記流路に接続され、他端が前記筐体の外側と連通し、
前記ピストン筒は、前記筐体の前記流路にそれぞれ挿入され、前記ピストン筒は、前記  体の外側を向く一端に閉鎖端が設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記筐体に対して前記ピストン筒が外方に移動されることを特徴とする、工具用消磁の磁着装置。
【請求項２】
前記筐体は、前記中心孔の周囲に接続された２つ以上のピストンシートを含み、
前記流路及び前記組立室は、前記軸線に沿って前記ピストンシートの内部に形成されることを特徴とする請求項１に記載の工具用消磁の磁着装置。
【請求項３】
前記壁は、前記流路の直径が前記組立室の直径より小さくなっているため、前記ピストンシートの内側に環状に成形されることを特徴とする請求項２に記載の工具用消磁の磁着装置。
【請求項４】
前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする請求項３に記載の工具用消磁の磁着装置。
【請求項５】
前記凸縁及び前記拘束部のうちの一つは、円錐面を有することを特徴とする請求項４に記載の工具用消磁の磁着装置。
【請求項６】
１つの筐体と、２つ以上のピストン筒と、２つ以上の磁体とを備えた、工具用消磁の磁着装置であって、
前記筐体は、互いに接続された２つ以上のピストンシートを有し、前記ピストンシートの中央部には、前記筐体の１つの中心孔が形成され、前記ピストンシート中には、１つの流路及び１つの組立室が設けられ、前記流路は、一端が前記中心孔に接続され、他端が前記組立室を介して前記ピストンシートの外側と連通し、
前記ピストン筒は、前記ピストンシートの前記流路にそれぞれ挿入され、前記ピストン筒は、前記ピストンシートの外側に向かう閉鎖端が一端に設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記ピストンシートに対して前記ピストン筒が外方に移動されることを特徴とする、工具用消磁の磁着装置。
【請求項７】
前記ピストンシートの内側の壁は、環状に成形され、
前記壁は、直径が小さめの前記流路に一辺が接続され、直径が大きめの前記組立室に他辺が接続されることを特徴とする請求項６に記載の工具用消磁の磁着装置。
【請求項８】
前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする請求項７に記載の工具用消磁の磁着装置。
【請求項９】
前記凸縁及び前記拘束部のうちの一つは、円錐面を有することを特徴とする請求項８に記載の工具用消磁の磁着装置。
【考案の詳細な説明】
【技術分野】
【０００１】
本考案は、工具の磁着技術に関し、特に、工具に独立的に使用し、物理現象である磁力により吸引作用を発生させるとともに、消磁効果を兼ね備えた工具用消磁の磁着装置に関する。
【背景技術】
【０００２】
従来の工具には、例えばドライバ、エクステンションバー、ソケットなど様々な種類があった。工具を配置するのに必要な磁体は、透磁性を有する一部のワーク（例えば、ねじ、スタッド、ナットなど）を磁力により吸引していた。
【０００３】
ドライバは、１本の杆の端部が１つのハンドルに固定されているのが一般的である。一般に、杆の端面には、１つの槽が凹設され、槽底部には、必要な磁体が埋設されている。実際に使用するときは、ドライバビットを杆の槽に挿入させる。磁体によりドライバビットが吸引されるため、ドライバビットが杆の槽から外れることを防ぐか、或いは、磁体がハンドルに埋設され、磁体の磁力により透磁性を有するプラットフォームに吸着され、プラットフォーム上に置かれたドライバが転がることを防いでいた。
【０００４】
一部のドライバには、スリーブが設けられている。このスリーブには、環状磁体が固定され、スリーブは杆に取り付けられて往復移動が可能である。ドライバビットは、環状磁体を介して杆の槽に挿入される。磁体は、離れないようにドライバビットを吸着することができる。環状磁体がドライバビットの一部を吸着し、ドライバビットが杆に対して揺動することを防ぐ。
【０００５】
ソケットは、１つのパッドが中空のソケット内に配置され、パッドは、ソケット開口に対向した端面により１つの磁体を受ける。点火プラグの取り外しを例に採ると、磁着ソケットを使用する過程では、点火プラグが環状の磁体を介してパッドに挿入され、磁体が点火プラグの透磁性を有する部位に吸着され、点火プラグとソケットとが互いに揺動することを防ぐ。
【考案の概要】
【考案が解決しようとする課題】
【０００６】
本考案の目的は、ピストン運動を行う複数の磁体を利用し、常態下では同一極性が互いに排斥し合い、磁力により透磁性を有するワークを吸着する以外に、磁気吸引方式の工具に応用し、消磁機能を兼ね備えた工具用消磁の磁着装置を提供することにある。
【課題を解決するための手段】
【０００７】
こうした現状に鑑み、本考案者は鋭意研究を重ねた結果、従来技術の問題点を改善し、本考案を完成させたものである。
【０００８】
かくして、本考案の要旨は、次の（１）&#12316;（９）に記載の通りのものである。
（１）１つの筐体と、１つの中心孔と、互いに同じ数の流路及び組立室と、２つ以上のピストン筒と、２つ以上の磁体とを備えた、工具用消磁の磁着装置であって、
前記中心孔は、１本の中心線に沿って前記筐体の中央部に貫通するように形成され、
前記流路及び前記組立室は、前記筐体に設けられ、前記流路は、垂直中心線の１本の軸線に沿って前記中心孔の周囲に接続され、前記組立室は、一端が前記流路に接続され、他端が前記筐体の外側と連通し、
前記ピストン筒は、前記筐体の前記流路にそれぞれ挿入され、前記ピストン筒は、前記筐体の外側を向く一端に閉鎖端が設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記筐体に対して前記ピストン筒が外方に移動されることを特徴とする、工具用消磁の磁着装置。
【０００９】
（２）前記筐体は、前記中心孔の周囲に接続された２つ以上のピストンシートを含み、
前記流路及び前記組立室は、前記軸線に沿って前記ピストンシートの内部に形成されることを特徴とする前記（１）に記載の工具用消磁の磁着装置。
【００１０】
（３）前記壁は、前記流路の直径が前記組立室の直径より小さくなっているため、前記ピストンシートの内側に環状に成形されることを特徴とする前記（２）に記載の工具用消磁の磁着装置。
【００１１】
（４）前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする前記（３）に記載の工具用消磁の磁着装置。
【００１２】
（５）前記凸縁及び前記拘束部のうちの一つは、円錐面を有することを特徴とする前記（４）に記載の工具用消磁の磁着装置。
【００１３】
（６）１つの筐体と、２つ以上のピストン筒と、２つ以上の磁体とを備えた、工具用消磁の磁着装置であって、
前記筐体は、互いに接続された２つ以上のピストンシートを有し、前記ピストンシートの中央部には、前記筐体の１つの中心孔が形成され、前記ピストンシート中には、１つの流路及び１つの組立室が設けられ、前記流路は、一端が前記中心孔に接続され、他端が前記組立室を介して前記ピストンシートの外側と連通し、
前記ピストン筒は、前記ピストンシートの前記流路にそれぞれ挿入され、前記ピストン筒は、前記ピストンシートの外側に向かう閉鎖端が一端に設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記ピストンシートに対して前記ピストン筒が外方に移動されることを特徴とする、工具用消磁の磁着装置。
【００１４】
（７）前記ピストンシートの内側の壁は、環状に成形され、
前記壁は、直径が小さめの前記流路に一辺が接続され、直径が大きめの前記組立室に他辺が接続されることを特徴とする前記（６）に記載の工具用消磁の磁着装置。
【００１５】
（８）前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする前記（７）に記載の工具用消磁の磁着装置。
【００１６】
（９）前記凸縁及び前記拘束部のうちの一つは、円錐面を有することを特徴とする前記（８）に記載の工具用消磁の磁着装置。
【考案の効果】
【００１７】
本考案の工具用消磁の磁着装置は、常態下では複数の磁体が同一極性により互いに排斥し合い、透磁性を有するワークを複数の磁体間に挿入すると、各磁体がピストンのように移動し、磁力により透磁性を有するワークを吸着する以外に、磁気吸引方式の工具に応用し、異なる極性が互いに吸引し合うため、磁体の他端は、透磁性を有するワークの磁性を消去することができる。
【図面の簡単な説明】
【００１８】
【図１】本考案の一実施形態に係る磁着装置を示す分解斜視図である。
【図２】分離された磁着装置及び工具を示す斜視図である。
【図３】工具を磁着装置と組み合わせたときの内部構造を示す説明図である。
【図４】磁着装置が工具の磁性を消去する状態の説明図である。
【図５】磁着装置に体積が小さめの工具と組み合わせた状態の説明図である。
【考案を実施するための形態】
【００１９】
以下、本考案の実施形態について図に基づいて説明する。なお、これによって本考案が限定されるものではない。
【００２０】
図１を参照する。図１は、本考案の一実施形態に係る磁着装置を示す分解斜視図である。図１に示すように、本考案の一実施形態に係る磁着装置は、少なくとも１つの筐体１０と、３つのピストン筒２０と、３つの磁体３０とから構成されてなる。
【００２１】
筐体１０には、１本の中心線１１及び３本の軸線１３が描かれている（図３を参照する）。中心線１１は筐体１０の中央部を通り、３本の軸線１３は、中心線１１で等分されて交差する。本実施形態の各軸線１３は、中心線１１に対して垂直である。
【００２２】
筐体１０は、１つの中心孔１２、３つの流路１５及び３つの組立室１６を有する。筐体１０には、中心線１１に沿って中心孔１２が形成されている。各流路１５は、中心孔１２の周囲に形成されるとともに、軸線１３の方向で対応した組立室１６に接続される。そのため、組立室１６及び流路１５は、同じ軸線１３に沿ってピストンシート１４内部まで延び、流路１５が組立室１６を介して筐体１０の外部と連通する。
【００２３】
ピストンシート１４の数は３である。これらピストンシート１４は、互いに接続され、中心孔１２の周囲を共同で囲む。各ピストンシート１４の内部には、周設された凸縁１７及び１面の壁１８が含まれる。凸縁１７は、ピストンシート１４の外側面の端部と連通する組立室１６に立設される。流路１５の直径が組立室１６の直径より小さくなっているため、壁１８は、ピストンシート１４の内側に環状に成形される。
【００２４】
各ピストン筒２０は、中空状の円筒である。円筒は、一端に閉鎖端２１が設けられ、他端に１つの開口２２が形成されている。ピストン筒２０は、ピストンシート１４（又は筐体１０）の流路１５に挿入される。ピストン筒２０の閉鎖端２１は、ピストンシート１４（又は筐体１０）の外側を向き、開口２２は中心孔１２を向く。１つの拘束部２３は、ピストン筒２０の外表面に隆起し、ピストン筒２０と一緒にピストンシート１４中に挿入される。拘束部２３は、組立室１６に挿入され、凸縁１７と壁１８との間に位置する。凸縁１７から壁１８までの距離が拘束部２３の厚さより大きいため、拘束部２３は凸縁１７及び壁１８により拘束され、ピストン筒２０がピストンシート１４で往復移動し、外れることを防ぐ。
【００２５】
本実施形態において、凸縁１７の内側の直径が外側の直径より小さいため、凸縁１７は、１つの円錐面を有する。また、拘束部２３の外側の直径は内側の直径より大きく、同様に円錐面を有する。
【００２６】
実際に組み立てるときは、２つの円錐面により、拘束部２３を凸縁１７に容易に押し込むことができる。実際に使用する際、凸縁１７が拘束部２３に対してストッパー作用を発生させるため、ピストン筒２０の閉鎖端２１は、ピストンシート１４の凸縁１７を出入させることができる。
【００２７】
他の実施形態では、凸縁１７及び拘束部２３の一つは円錐面を有してもよく、ピストンシート１４をピストン筒２０に取り付けることができる限り、本考案の範囲に含まれる。
【００２８】
また、各磁体３０の体積は、ピストン筒２０の容積に等しいか大きく、押し付ける方式か接着方式により、磁体３０がピストン筒２０に入れられた後、外れることを防いでいた。磁体３０の両端の極性が異なり、両端のうちの一つは、筐体１０の中心孔１２を向く。磁体３０は、一端がＳ極３１であり、他端がＮ極３２である。
【００２９】
図２を参照する。図２は、分離された磁着装置及び工具を示す斜視図である。図２に示すように、工具４０は、準備作業が完了した後、磁着装置（即ち筐体１０）の中心孔１２に位置合わせされて挿入される。
【００３０】
図２に示すように、上述した工具４０は、ドライバビットである。ドライバビットは、一端に設けられた挿入端４３と、他端に設けられた接続端４６とを有し、挿入端４３から接続端４６までの範囲は作業部４１及び連結部４２の２つに分けられる。作業部４１には、４つの凹部４４が均等に形成されている。これらの凹部４４は、作業部４１を分けて同じ数の凸部４５を形成し、作業部４１は挿入端４３に近接した箇所が十字状に形成され、１つのワーク（例えばねじ）の頭部に挿入させることができる。連結部４２は、六角柱である。この六角柱は、接続端４６に近接した６つの平面部４７を有し、連結部４２がその他の工具（例えば、電動工具、気動工具又は手動工具）の駆動端に挿入される（図示せず）。
【００３１】
本実施形態において、これらの磁体３０の対向した一端はＮ極３２であり、同一極性が互いに排斥し合うため、ピストン筒２０を押動してピストンシート１４に対して外方に移動し、磁着装置（即ち筐体１０）の中心孔１２が流路の流れをスムーズにする（図４を参照する）。
【００３２】
図３を参照する。図３は、工具を磁着装置と組み合わせたときの内部構造を示す説明図である。図３に示すように、同一極性の排斥作用は、中心孔１２に挿入された連結部４２により中断される。工具４０は、一部の金属材料を含む。各金属材料は、１つの透磁率を有する。この透磁率により工具４０は磁体３０の磁力を伝達し、Ｎ極３２が平面部４７に吸着され、ピストン筒２０をピストンシート１４で移動させ、拘束部２３が組立室１６で工具４０に向かって変位する。
【００３３】
ワークは、例えば、ねじが透磁率を有してもよい。締め付ける（又は緩める）作業を行う際、磁着装置が磁体３０の磁力によりワークの頭部を吸着するため、工具４０によりワークを確実に旋回させることができる。
【００３４】
図４を参照する。図４は、磁着装置が工具の磁性を消去する状態の説明図である。図４に示すように、工具４０が磁着装置から離れると、磁体３０により工具４０の磁性を消去することができる。図４に示すように、これらの磁体３０のＮ極３２が対向し合い、同一極性が互いに排斥し合う作用力が発生し、ピストン筒２０を押動し、ピストンシート１４に対して外方に移動され、中心孔１２の流路の流れが再びスムーズとなり、次回実行されるまで待機する。
【００３５】
工具４０が磁体３０の磁場を離れても磁場が残留してしまう可能性があり、一部の電器製品又は部品が壊れる虞があった。そのためこのような場合、平面部４７をピストン筒２０の閉鎖端２１に接触させ、ピストン筒２０の壁厚を隔離することにより、工具４０及び磁体３０のＳ極３１を互いに作用させ、磁場を消去することができる。
【００３６】
図５を参照する。図５は、磁着装置に体積が小さめの工具と組み合わせた状態の説明図である。図５は、図３と異なり工具４０の体積が小さめである。磁体３０が工具４０に吸着されると、ピストン筒２０がピストンシート１４で移動する距離が長めである。勿論、拘束部２３は、組立室１６で変位し、壁１８に近づく。
【００３７】
磁着装置は、同一極性が互いに排斥し合う物理現象に基づき、これらの磁体３０は常態下で分離される。ワークを複数の磁体３０間に挿入し、磁体３０は、ピストンのように移動し、磁力がワークを吸着する以外に、磁着装置を磁気吸引式工具の分野に応用することができ、異なる極性が互いに吸引し合うため、磁体３０のＳ極３１がワークの磁性を消去することができる。
【００３８】
本考案は、実施形態により上記のように開示しているが、本考案を限定するものではなく、当業者は、本考案の精神及び範囲から逸脱することなく、いくつかの変更及び修飾を行うことができ、故に本考案の保護範囲は、添付の実用新案請求の範囲に限定されるものを基準とするものである。
【符号の説明】
【００３９】
１０  筐体
１１  中心線
１２  中心孔
１３  軸線
１４  ピストンシート
１５  流路
１６  組立室
１７  凸縁
１８  壁
２０  ピストン筒
２１  閉鎖端
２２  開口
２３  拘束部
３０  磁体
３１  Ｓ極
３２  Ｎ極
４０  工具
４１  作業部
４２  連結部
４３  挿入端
４４  凹部
４５  凸部
４６  接続端
４７  平面部
【図１】
0003235644.tif 000003
【図２】
0003235644.tif 000004
【図３】
0003235644.tif 000005
【図４】
0003235644.tif 000006
【図５】
0003235644.tif 000007
【手続補正書】
【提出日】令和3年10月27日(2021.10.27)
【手続補正１】
【補正対象書類名】実用新案登録請求の範囲
【補正対象項目名】全文
【補正方法】変更
【補正の内容】
【実用新案登録請求の範囲】
【請求項１】
１つの筐体と、１つの中心孔と、互いに同じ数の流路及び組立室と、２つ以上のピストン筒と、２つ以上の磁体とを備えた、工具用消磁の磁着装置であって、
前記中心孔は、１本の中心線に沿って前記筐体の中央部に貫通するように形成され、
前記流路及び前記組立室は、前記筐体に設けられ、前記流路は、垂直中心線の１本の軸線に沿って前記中心孔の周囲に接続され、前記組立室は、一端が前記流路に接続され、他端が前記筐体の外側と連通し、
前記ピストン筒は、前記筐体の前記流路にそれぞれ挿入され、前記ピストン筒は、前記筐体の外側を向く一端に閉鎖端が設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記筐体に対して前記ピストン筒が外方に移動されることを特徴とする、工具用消磁の磁着装置。
【請求項２】
前記筐体は、前記中心孔の周囲に接続された２つ以上のピストンシートを含み、
前記流路及び前記組立室は、前記軸線に沿って前記ピストンシートの内部に形成されることを特徴とする請求項１に記載の工具用消磁の磁着装置。
【請求項３】
前記ピストンシートの内部には壁が含まれ、
前記壁は、前記流路の直径が前記組立室の直径より小さくなっているため、前記ピストンシートの内側に環状に成形されることを特徴とする請求項２に記載の工具用消磁の磁着装置。
【請求項４】
前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする請求項３に記載の工具用消磁の磁着装置。
【請求項５】
前記凸縁及び前記拘束部のうちの一つは、円錐面を有することを特徴とする請求項４に記載の工具用消磁の磁着装置。
【請求項６】
１つの筐体と、２つ以上のピストン筒と、２つ以上の磁体とを備えた、工具用消磁の磁着装置であって、
前記筐体は、互いに接続された２つ以上のピストンシートを有し、前記ピストンシートの中央部には、前記筐体の１つの中心孔が形成され、前記ピストンシート中には、１つの流路及び１つの組立室が設けられ、前記流路は、一端が前記中心孔に接続され、他端が前記組立室を介して前記ピストンシートの外側と連通し、
前記ピストン筒は、前記ピストンシートの前記流路にそれぞれ挿入され、前記ピストン筒は、前記ピストンシートの外側に向かう閉鎖端が一端に設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記ピストンシートに対して前記ピストン筒が外方に移動されることを特徴とする、工具用消磁の磁着装置。
【請求項７】
前記ピストンシートの内側の壁は、環状に成形され、
前記壁は、直径が小さめの前記流路に一辺が接続され、直径が大きめの前記組立室に他辺が接続されることを特徴とする請求項６に記載の工具用消磁の磁着装置。
【請求項８】
前記ピストンシートには、凸縁が周設され、前記凸縁は、前記ピストンシートの外側面の端部と連通する前記組立室に立設され、
前記ピストン筒の外表面には、拘束部が隆起し、前記拘束部は、前記組立室に挿入され、前記凸縁と前記壁との間に位置し、前記ピストン筒が前記ピストンシートで往復移動しても外れないことを特徴とする請求項７に記載の工具用消磁の磁着装置。
【請求項９】
前記凸縁及び前記拘束部のうちの一つは、円錐面を有することを特徴とする請求項８に記載の工具用消磁の磁着装置。
【手続補正２】
【補正対象書類名】明細書
【補正対象項目名】０００８
【補正方法】変更
【補正の内容】
【０００８】
かくして、本考案の要旨は、次の（１）〜（９）に記載の通りのものである。
（１）１つの筐体と、１つの中心孔と、互いに同じ数の流路及び組立室と、２つ以上のピストン筒と、２つ以上の磁体とを備えた、工具用消磁の磁着装置であって、
前記中心孔は、１本の中心線に沿って前記筐体の中央部に貫通するように形成され、前記流路及び前記組立室は、前記筐体に設けられ、前記流路は、垂直中心線の１本の軸線に沿って前記中心孔の周囲に接続され、前記組立室は、一端が前記流路に接続され、他端が前記筐体の外側と連通し、
前記ピストン筒は、前記筐体の前記流路にそれぞれ挿入され、前記ピストン筒は、前記筐体の外側を向く一端に閉鎖端が設けられ、前記中心孔を向く他端に１つの開口が形成され、
前記磁体は、前記開口を介して前記ピストン筒に挿入され、前記磁体の前記中心孔を向く一端は同一極性であり、同一極性が互いに排斥し合うため、前記筐体に対して前記ピストン筒が外方に移動されることを特徴とする、工具用消磁の磁着装置。